(57)【要約】【課題】ウォッシャノズルをエンジンフード下に設けたタイプのウォッシャシステムにおいても、その払拭性能を良好に維持する。【解決手段】ウォッシャ装置は、ウォッシャノズル５の噴射口２５に吐出口２６，２７を並設し、各吐出口から吐出される空気を噴射される洗浄液に干渉させてその軌跡を上方に変化させるようにした。その結果、ウォッシャノズル５がエンジンフードの下に設けられていても、洗浄液がワイパアームを迂回してウィンドガラスに着水することができる。その結果、ウォッシャシステムの払拭性能を良好に維持することができる。【選択図】図５
2008273298.tif 000002
【特許請求の範囲】
【請求項１】
洗浄液を貯留するタンクと、
前記タンク内の洗浄液を圧送するポンプ装置と、
前記圧送された洗浄液をウィンドガラスに噴射するウォッシャノズルと、
前記ポンプ装置を駆動制御する第１の制御部と、
気体を圧送する気体圧送装置と、
前記ウォッシャノズルの噴射口に並設され、前記圧送された気体を吐出する吐出口と、
前記気体圧送装置を駆動制御する第２の制御部と、
を備え、
前記第２の制御部は、前記気体圧送装置を駆動して前記吐出口から吐出される気体の吐出状態を制御することにより、前記噴射口から噴射される洗浄液の軌跡を変化させ、前記ウィンドガラスの所定位置に着水させることを特徴とする車両用ウォッシャ装置。
【請求項２】
前記吐出口が前記噴射口と隣接配置されており、
第２の制御部は、前記吐出口から前記気体を吐出させて、その気体を前記噴射口から噴射される洗浄液の側面に当てることにより、その軌跡を変化させることを特徴とする請求項１に記載の車両用ウォッシャ装置。
【請求項３】
前記吐出口が前記ウォッシャノズルに一体に形成されていることを特徴とする請求項２に記載の車両用ウォッシャ装置。
【請求項４】
前記吐出口として、前記噴射口に隣接配置された第１の吐出口と、前記噴射口の前記第１の吐出口と反対側に隣接配置された第２の吐出口とを備え、
前記第１の吐出口から吐出される気体の流速と、前記第２の吐出口から吐出させる気体の流速とを異ならせることにより、前記噴射口から噴射される洗浄液に当てる気体の流速差によってその洗浄液の軌跡を変化させるように構成されたことを特徴とする請求項２または３に記載の車両用ウォッシャ装置。
【請求項５】
前記第１の吐出口と前記第２の吐出口の大きさを異ならせることにより、前記気体の流速差を発生させるように構成されたことを特徴とする請求項４に記載の車両用ウォッシャ装置。
【請求項６】
前記第１の吐出口と前記第２の吐出口とを前記噴射口を挟んで上下に配置することにより、前記噴射口から噴射される洗浄液の軌跡を上向きに変化させるように構成されたことを特徴とする請求項４または５に記載の車両用ウォッシャ装置。
【請求項７】
前記気体圧送装置と前記吐出口とをつなぐ通路の開度を調整可能な調整弁を備え、
前記第２の制御部は、前記調整弁の開度を制御することにより、前記吐出口から吐出される気体の流量を変化させてその吐出状態を制御することを特徴とする請求項１に記載の車両用ウォッシャ装置。
【請求項８】
車速を検出する車速検出部と、
前記第１の吐出口および前記第２の吐出口と前記気体圧送装置とをつなぐ通路に、前記第１の吐出口へつながる通路部と前記第２の吐出口へつながる通路部の開度を互いに異ならせるように調整可能な調整弁を備え、
前記第２の制御部は、前記車速に基づいて前記調整弁の開度を制御することにより、前記車速に応じて前記噴射口から噴射される洗浄液の軌跡を変化させることを特徴とする請求項６に記載の車両用ウォッシャ装置。
【請求項９】
液体を圧送するポンプ装置と、
前記圧送された液体を目標着水点に向けて噴射するノズルと、
前記ポンプ装置を駆動制御する第１の制御部と、
気体を圧送する気体圧送装置と、
前記ノズルの噴射口に並設され、前記圧送された気体を吐出する吐出口と、
前記気体圧送装置を駆動制御する第２の制御部と、
を備え、
前記第２の制御部は、前記気体圧送装置を駆動して前記吐出口から吐出される気体の吐出状態を制御することにより、前記噴射口から噴射される液体の軌跡を変化させることを特徴とする液体噴射装置。
【発明の詳細な説明】
【技術分野】
【０００１】
本発明は、ウィンドガラスの洗浄のために洗浄液を噴射する車両用ウォッシャ装置、および目標着水点に向けて液体を噴射する液体噴射装置に関する。
【背景技術】
【０００２】
ウィンドガラスの洗浄のために車両に搭載されるウォッシャシステムは、ウォッシャタンクから圧送された洗浄液をウォッシャノズルを介してウィンドガラスに噴射するウォッシャ装置と、ウィンドガラス上に着水した洗浄液を払拭するワイパ装置とにより構成される。従来、ウォッシャノズルは車両のエンジンフード上に突出するように設けられていたが、近年ではこれをエンジンフードの後部下面に設けたものも提案されている（たとえば特許文献１参照）。このような構成は、車両の見栄えを向上させる等の利点がある。
【特許文献１】特開２０００−３４４０６２号公報（図２等）
【発明の開示】
【発明が解決しようとする課題】
【０００３】
しかしながら、このようにウォッシャノズルの上方がエンジンフードで覆われると、洗浄液の噴射方向は著しく制限される。しかも、ウォッシャノズルの設置位置が相対的に低くなるため、ウォッシャノズルとウィンドガラスとの間にワイパ装置が介在してしまう場合がある。このような場合、特にワイパ装置の休止時にはワイパアームが車両幅方向を長手とするように配置されるため、その状態でウォッシャノズルから洗浄液が噴射されると、その噴射された洗浄液の軌跡上にワイパアームが位置して干渉する。その結果、ウィンドガラス上の払拭領域に達する洗浄液の液量が減少して払拭性能が低下するといった問題があった。
【０００４】
本発明はこのような問題に鑑みてなされたものであり、その主たる目的は、ウォッシャノズルをエンジンフード下に設けたタイプのウォッシャシステムにおいても、その払拭性能を良好に維持することにある。
【課題を解決するための手段】
【０００５】
上記課題を解決するために、本発明のある態様の車両用ウォッシャ装置は、洗浄液を貯留するタンクと、タンク内の洗浄液を圧送するポンプ装置と、圧送された洗浄液をウィンドガラスに噴射するウォッシャノズルと、ポンプ装置を駆動制御する第１の制御部と、気体を圧送する気体圧送装置と、ウォッシャノズルの噴射口に並設され、圧送された気体を吐出する吐出口と、気体圧送装置を駆動制御する第２の制御部と、を備える。第２の制御部は、気体圧送装置を駆動して吐出口から吐出される気体の吐出状態を制御することにより、噴射口から噴射される洗浄液の軌跡を変化させ、ウィンドガラスの所定位置に着水させる。
【０００６】
ここでいう「気体圧送装置」は、たとえば送風機であってもよいし、コンプレッサであってもよい。「気体」は、空気であってもよいし、その他の気体であってもよい。「第１の制御部」と「第２の制御部」は、一つの制御装置として構成されていてもよいし、別々の制御装置として構成されてもよい。「吐出口」は、一つ設けられていてもよいし、複数設けられてもよい。「気体の吐出状態」としての制御対象は、吐出口から吐出される気体の流速であってもよいし、吐出口から吐出される気体の吐出量であってもよい。この気体の吐出状態により、洗浄液に対する気体の干渉の程度が変わるため、洗浄液の軌跡を変化させることができる。
【０００７】
この態様によると、ウォッシャノズルの噴射口に吐出口を並設し、その吐出口から吐出される気体を噴射口から噴射される洗浄液に干渉させてその軌跡を変化させるようにしている。すなわち、ウォッシャノズルとウィンドガラスとの間にワイパ装置等の障害物があったとしても、噴射される洗浄液の軌跡を変化させることにより、これを迂回させてウィンドガラスの所定位置に効率よく着水させることができる。その結果、ウォッシャノズルをエンジンフード下に設けたタイプのウォッシャシステムにおいても、その払拭性能を良好に維持することができる。
【０００８】
具体的には、吐出口が噴射口と隣接配置され、第２の制御部が、吐出口から気体を吐出させてその気体を噴射口から噴射される洗浄液の側面に当てることにより、その軌跡を変化させてもよい。すなわち、気体を洗浄液に衝突させて洗浄液の粒子の運動方向を変化させ、それにより洗浄液全体の軌跡を変化させることができる。
【０００９】
吐出口は、噴射口が設けられたウォッシャノズルとは別の部材に設けられていてもよいし、噴射口に隣接するようにウォッシャノズルに一体に形成されていてもよい。後者の場合、ウォッシャ装置全体をコンパクトに構成することができる。
【００１０】
また、吐出口として、噴射口に隣接配置された第１の吐出口と、噴射口の第１の吐出口と反対側に隣接配置された第２の吐出口とを備えてもよい。そして、第１の吐出口から吐出される気体の流速と、第２の吐出口から吐出させる気体の流速とを異ならせることにより、噴射口から噴射される洗浄液に当てる気体の流速差によってその洗浄液の軌跡を変化させるように構成してもよい。
【００１１】
すなわち、噴射される洗浄液を流速の異なる気体を当てることにより生じる流体間の摩擦によって、洗浄液の進行方向を変化させることができる。このように、第１の吐出口および第２の吐出口から別々に気体を吐出させることにより、洗浄液の軌跡を所望の状態に調整することも可能になる。
【００１２】
この場合、たとえば第１の吐出口と第２の吐出口の大きさを異ならせることにより、気体の流速差を発生させるようにしてもよい。気体圧送装置から第１の吐出口と第２の吐出口へ供給する気体の流量が一定であれば、両吐出口の大きさの違いにより各吐出口から吐出される気体の流速も異ならせることができる。
【００１３】
第１の吐出口と第２の吐出口とを噴射口を挟んで上下に配置することにより、噴射口から噴射される洗浄液の軌跡を上向きに変化させるように構成してもよい。たとえば、ウォッシャノズルがエンジンフード下の低い位置に設けられてその対向部にワイパアーム等が配置されても、洗浄液の軌跡が上向きに変化されて放物線を描くようにしてこれを迂回し、ウィンドガラスの所定位置に着水させることができる。
【００１４】
さらに、気体圧送装置と吐出口とをつなぐ通路の開度を調整可能な調整弁を備えてもよい。そして、第２の制御部は、調整弁の開度を制御することにより、吐出口から吐出される気体の流量を変化させてその吐出状態を制御してもよい。
【００１５】
この態様によれば、調整弁の開度の制御により気体の吐出容量や流速を変化させることができ、車両の状況に応じて洗浄液の噴射の軌跡を変更することができる。このため、たとえばウォッシャノズル等の設置位置の選択の幅が広がる。
【００１６】
より具体的には、さらに車速を検出する車速検出部を設けるとともに、第１の吐出口および第２の吐出口と気体圧送装置とをつなぐ通路に、第１の吐出口へつながる通路部と第２の吐出口へつながる通路部の開度を互いに異ならせるように調整可能な調整弁を設けてもよい。そして、第２の制御部が、車速に基づいて調整弁の開度を制御することにより、車速に応じて噴射口から噴射される洗浄液の軌跡を変化させてもよい。
【００１７】
この態様によれば、調整弁の制御により第１の吐出口から吐出される気体と第２の吐出口から吐出される気体との流速差を調整でき、それにより洗浄液の軌跡を変化させることができる。たとえば、第１の吐出口と第２の吐出口をそれぞれ上下に配置した場合、車速が高速になるほど、対向してくる空気によって洗浄液が下向きに付勢される。このとき、各吐出口の開度を調整して第１の吐出口からの気体の流速を小さくする一方、第２の吐出口からの気体の流速を大きくして洗浄液をより上向きに導くようにすれば、その洗浄液の軌跡を車速に応じて良好に保持することが可能になる。
【００１８】
本発明の別の態様は、液体噴射装置である。この装置は、液体を圧送するポンプ装置と、圧送された液体を目標着水点に向けて噴射するノズルと、ポンプ装置を駆動制御する第１の制御部と、気体を圧送する気体圧送装置と、ノズルの噴射口に並設され、圧送された気体を吐出する吐出口と、気体圧送装置を駆動制御する第２の制御部と、を備える。第２の制御部は、気体圧送装置を駆動して吐出口から吐出される気体の吐出状態を制御することにより、噴射口から噴射される液体の軌跡を変化させる。なお、ここでいう各用語の意義は、「洗浄液」を「液体」と読み替えれば上記と同様である。
【００１９】
この態様によると、ノズルと目標着水点との間に障害物があったとしても、噴射される液体の軌跡を変化させることにより、これを迂回させてその目標着水点に効率よく着水させることができる。このような液体噴射装置をたとえばウォッシャ装置として構成すれば、ウォッシャノズルをエンジンフード下に設けたタイプのウォッシャシステムにおいても、その払拭性能を良好に維持することができる。
【発明を実施するための最良の形態】
【００２０】
以下、図面を参照しつつ本発明を実施するための最良の形態について詳細に説明する。
【００２１】
図１は、本発明の実施の形態に係るウォッシャ装置を含むウォッシャシステムを搭載した車両を表す概略図である。図２は、ウォッシャシステムの各装置の配置構成を表す側断面図である。
【００２２】
図１に示すように、車両１のウォッシャシステムは、ウィンドガラス２（ウィンドシールド）上に洗浄液を噴射するウォッシャ装置３と、洗浄液が付着したウィンドガラス２を払拭するワイパ装置６を含んで構成される。ウォッシャ装置３は、ウォッシャタンク４から圧送された洗浄液をウィンドガラス２に向けて噴射するウォッシャノズル５を含む。ワイパ装置６は、ウィンドガラス２とエンジンフード７との間に設けられており、ワイパアーム１１とその先端側に取り付けられたワイパブレード１２とを含んで構成される。ウォッシャノズル５およびワイパ装置６は、それぞれ運転席側と助手席側に対応して一対ずつ設けられている。
【００２３】
図２にも示すように、ウォッシャノズル５は、エンジンフード７の後端縁の裏面側、つまりエンジンフード７の下方に配置されて外部からは見えなくなっており、その配置構成が車両１の見栄え向上に寄与している。ウォッシャノズル５は、配管８を介してウォッシャタンク４に接続されている。
【００２４】
図３は、ウォッシャ装置全体の具体的構成を表す図である。  
ウォッシャ装置３は、洗浄液を貯留するウォッシャタンク４、ウォッシャタンク４内の洗浄液を圧送するポンプ装置１５、ポンプ装置１５と各ウォッシャノズル５とをつなぐ配管８、ポンプ装置１５から配管８を介して圧送された洗浄液をウィンドガラス２に噴射する一対のウォッシャノズル５、外気を取り入れて圧送する送風機１６（「気体圧送装置」に該当する）、送風機１６と各ウォッシャノズル５とをつなぐ配管１７、配管１７において各ウォッシャノズル５へ向かう通路の開度を調整する調整弁１８、およびポンプ装置１５，送風機１６，調整弁１８を駆動制御する制御部２０等を備えている。
【００２５】
ポンプ装置１５には、これを駆動するモータが組み込まれている。送風機１６には、外気を圧送するファンとこれを駆動するモータが組み込まれている。なお、本実施の形態では気体圧送装置として送風機を採用しているが、コンプレッサ等を採用することも可能である。
【００２６】
ウォッシャノズル５は、洗浄液を噴射する噴射口２５と、その噴射口２５を上下に挟むように隣接配置されて空気を吐出する一対の吐出口２６，２７（それぞれ「第１の吐出口」、「第２の吐出口」に該当する）とを備えている。この噴射口２５から洗浄液を噴射すると同時に吐出口２６，２７から空気を吐出することで洗浄液の軌跡を変化させることができるが、その詳細については後述する。
【００２７】
配管８は、その通路が途中で分岐しており、その分岐された各通路部が一対のウォッシャノズル５のそれぞれに接続されている。配管１７も、その通路が第１通路部２９と第２通路部３０とに分岐しており、その分岐点に調整弁１８が配設されている。第１通路部２９は、その下流側でさらに分岐して各ウォッシャノズル５の上側の吐出口２６にそれぞれ接続されている。第２通路部３０も、その下流側でさらに分岐して各ウォッシャノズル５の下側の吐出口２７にそれぞれ接続されている。
【００２８】
調整弁１８は、配管１７の上流側の分岐点に配設され、第１通路部２９を開閉する弁体３１と、その弁体３１を駆動するモータ３２とを含んで構成されている。モータ３２は、たとえばステッピングモータ等からなる。モータ３２の駆動によってたとえばラック・ピニオン機構等を介して弁体３１を進退させることにより、第１通路部２９の開度を調整することができる。なお、本実施の形態では、このように調整弁１８をモータ駆動の開閉弁として構成したが、ソレノイド等により弁体の開度を調整する電磁弁として構成することもできる。調整弁１８により第１通路部２９の開度を調整することにより、第１通路部２９と第２通路部３０の開度を互いに異ならせることで、両通路部へ流す空気の流量を相対的に異ならせることができる。
【００２９】
制御部２０は、各種演算処理を実行するＣＰＵ、各種制御プログラムを格納するＲＯＭ、データ格納やプログラム実行のためのワークエリアとして利用されるＲＡＭ、入出力インターフェース等を備える車載電子制御装置である。制御部２０には、運転者がウォッシャシステムを駆動させるための操作入力を行うウォッシャスイッチ２１、車速を検出する車速センサ２２（「車速検出部」に該当する）を含む各種センサ・スイッチからの信号が入力される。制御部２０は、これらの信号を受けて、ポンプ装置１５，送風機１６，調整弁１８等の各アクチュエータの駆動制御を行う。
【００３０】
図４は、ウォッシャノズルおよびその近傍の構成を表す部分拡大図である。  
ウォッシャノズル５は、樹脂からなる直方体形状のノズル本体３３に、噴射ノズル３５，第１吐出部３６，第２吐出部３７およびこれらにつながる配管の先端部を埋設して一体に構成されている。図示のように、ノズル本体３３の中央には噴射ノズル３５が配置されている。噴射ノズル３５は、その先端に設けられた噴射口２５がノズル本体３３から露出し、その後端には配管８の先端が接続されている。噴射ノズル３５の上方には第１吐出部３６が隣接配置されている。第１吐出部３６は、その先端に設けられた吐出口２６が噴射口２５に隣接するように露出し、その後端には第１通路部２９の先端が接続されている。一方、噴射ノズル３５の下方には第２吐出部３７が隣接配置されている。第２吐出部３７は、その先端に設けられた吐出口２７が噴射口２５に隣接するように露出し、その後端には第２通路部３０の先端が接続されている。本実施の形態では、これら噴射口２５，吐出口２６，吐出口２７のいずれも横長形状に構成されているが、その後方において各配管になめらかに接続されている。
【００３１】
噴射ノズル３５は、いわゆる拡散式のウォッシャノズルとして構成されており、洗浄液が通過する際に水流によってこれを振動させ、噴射口２５から洗浄液を扇状に噴出させる。これにより、ワイパ装置６の払拭範囲の広範囲にわたって洗浄液を噴射することができ、その払拭性能を高められるようになっている。なお、拡散式のウォッシャノズルの具体的構造としては、たとえば特開２００５−５９６５１号公報等に示されたような公知のものを採用することができる。ここでは、その詳細な説明を省略する。
【００３２】
本実施の形態では、この噴射ノズル３５から洗浄液を噴射すると同時に吐出口２６および吐出口２７から空気を吐出させ、その空気を洗浄液の側面に当てることによって洗浄液の軌跡を変化させる。これにより、ワイパ装置６の休止状態においても洗浄液がウィンドガラス２に効率よく着水できるように制御する。この具体的制御の内容について以下に説明する。
【００３３】
図５は、ウォッシャ装置による洗浄液の噴射制御の原理を表す図である。なお、説明を分かりやすくするために同図は模式図となっており、噴射口２５および吐出口２６，２７ともに円形と仮定している。また、洗浄液の液粒ｗを誇張して大きく示している。
【００３４】
ポンプ装置１５から圧送された洗浄液は、図示のように配管８を通って噴射口２５へと導かれ、無数の液粒ｗとなって前方に噴射される。一方、送風機１６から圧送された空気は、図示のように配管１７の下流側で第１通路部２９と第２通路部３０に分流され、それぞれ吐出口２６、吐出口２７へと導かれる。各吐出口から吐出された空気は、その上下において洗浄液に当たり、その軌跡を変化させる。
【００３５】
ここで、第１通路部２９の管径（吐出口２６の直径に等しい）ｄ１を、第２通路部３０の管径（吐出口２７の直径に等しい）ｄ２よりも小さくしている（ｄ１＜ｄ２）。このため、送風機１６により流量Ｑで送出された空気は、第１通路部２９側にＱ１、第２通路部３０側にＱ２（Ｑ１＜Ｑ２）となって送出される。このとき、吐出口２６から吐出される空気の流速Ｖ１よりも吐出口２７から吐出される空気の流速Ｖ２のほうが大きくなる（Ｖ２＞Ｖ１）。
【００３６】
すなわち、第１通路部２９の長さをｌ１、第２通路部３０の長さをｌ２とすると、管内における流体摩擦損失について下記式（１）が成立する。
【００３７】
【数１】
2008273298.tif 000003
【００３８】
このとき、連続の式として下記式（２）が成立する。
【００３９】
【数２】
2008273298.tif 000004
【００４０】
上記式（１）においてλ1＝λ2、ｌ1＝ｌ2とすると、下記式（３）が成立する。
【００４１】
【数３】
2008273298.tif 000005
【００４２】
すなわち、空気の流速は第１通路部２９、第２通路部３０の管径によって決まることになる。両通路部の管径の差を大きくすれば、吐出口２６および吐出口２７から吐出される空気の速度差（流速差）をつけることができる。つまり、このように吐出口２６と吐出口２７の大きさを異ならせることにより、吐出口２６から吐出される空気の流速と、吐出口２７から吐出させる空気の流速とを異ならせ、洗浄液の上下に当てる空気の流速差によってその洗浄液の軌跡を変化させることができる。
【００４３】
本実施の形態では、吐出口２６につながる第１通路部２９の管径を、吐出口２７につながる第２通路部３０の管径よりも大きくしたため、下方の吐出口２７から吐出される空気の流速を相対的に大きくすることができる（Ｖ２＞Ｖ１）。その結果、洗浄液の各液粒ｗに図示のような回転を与えることができ、洗浄液の軌跡を上方に向く放物状に変化させることができる。
【００４４】
図６は、ウォッシャ装置の使用状態の例を表す説明図である。  
上述のように、噴射口２５の上下に配置した吐出口２６と吐出口２７の大きさを異ならせて吐出される空気の速度差を設けたため、図示のように洗浄液の軌跡が上方に向く放物状に変化する。その結果、図中破線にて示されるように、ウォッシャノズル５から拡散噴射された洗浄液をワイパアーム１１を迂回させて、ウィンドガラス２の払拭領域Ｓ１上の特定の着水領域Ｓ２に着水させることができる。払拭領域Ｓ１は、ワイパアーム１１がその回動軸１３を中心に回動したときにワイパブレード１２が掃くウィンドガラス２上の領域である。着水領域Ｓ２については、制御部２０が送風機１６の圧送力や調整弁１８の開度を調整することにより、適宜調整することが可能になる。
【００４５】
図７は、ウォッシャ装置による洗浄液の噴射制御の一例を表すフローチャートである。
【００４６】
本実施の形態では、車速に応じて調整弁１８の開度を調整し、噴射口２５から噴射される洗浄液の軌跡を調整する制御を行う。
【００４７】
すなわち、制御部２０は、車速センサ２２から現在の車速Ｖを取得する（Ｓ１０）。このとき、その車速Ｖが予め設定した基準速度Ｖ０（たとえば８０ｋｍ／ｈ）以上であれば（Ｓ１２のＹ）、調整弁１８を閉弁状態に制御する（Ｓ１４）。つまり、吐出口２６から吐出される空気量を実質的にゼロとし、吐出口２７から吐出される空気を増加させる。すなわち、車速が高速になるほど、対向してくる空気によって洗浄液が下向きに付勢され、ワイパアーム１１に干渉する可能性が高くなる。そこで、下方の吐出口２７のみから空気を吐出させて洗浄液の軌跡をより上向きに変化させる。これにより、高速時においても洗浄液がワイパアーム１１を迂回できるようになる。
【００４８】
一方、車速Ｖが基準速度Ｖ０よりも低ければ（Ｓ１２のＮ）、調整弁１８を開弁状態に制御する（Ｓ１６）。すなわち、吐出口２６からも空気を吐出させ、洗浄液の噴射角度を適度に調整する。
【００４９】
以上に説明したように、本実施の形態のウォッシャ装置３は、ウォッシャノズル５の噴射口２５に吐出口２６，２７を並設し、各吐出口から吐出される空気を噴射される洗浄液に干渉させてその軌跡を上方に変化させるようにした。その結果、ウォッシャノズル５がエンジンフード７の下に設けられていても、洗浄液がワイパアーム１１を迂回してウィンドガラス２に着水することができる。その結果、ウォッシャシステムの払拭性能を良好に維持することができる。
【００５０】
本発明は上述の各実施の形態に限定されるものではなく、当業者の知識に基づいて各種の設計変更等の変形を各実施の形態に対して加えることも可能であり、そのような変形が加えられた実施の形態も本発明の範囲に含まれうる。
【００５１】
図８は、変形例にかかるウォッシャ装置のウォッシャノズルの構成を表す図である。なお、同図において上記実施の形態と同様の構成部分については同様の符号を付している。  本変形例においても、配管１７から第１通路部２２９および第２通路部２３０にほぼ同じ管径で分岐させているが、下側の第２通路部２３０についてはその先端側にテーパ状に小径化するノズル２３１を設けている。ノズル２３１の先端開口部である吐出口２２７の直径ｄ２２は、第１通路部２２９の吐出口２２６の直径ｄ２１よりも小さくなっている。このノズル２３１を設けたことにより、下側の吐出口２２７から吐出させる空気の流速を大きくしている。つまり、上下の吐出口２２６および吐出口２２７から吐出される空気の流速差を設けることにより、上記実施の形態と同様の作用効果を得ることができる。
【００５２】
また、上記実施の形態では、第１通路部２９の内径と第２通路部３０の内径とを異ならせることにより吐出口２６、吐出口２７から吐出される空気の流速を異ならせるようにした。変形例においては、各通路の大きさに関係なく、各吐出口から吐出される空気の流速が異なるように制御してもよい。上述の例でいえば、たとえば調整弁１８の開度を調整することにより流速差を調整することができる。あるいは、第１通路部と第２通路部の空気の供給源を異ならせ、各通路の流速を個別に制御できるようにしてもよい。
【００５３】
また、上記実施の形態では、調整弁１８において、弁体３１を全閉状態と全開状態で切り替える例を示したが、開弁状態の開度を自由に制御できるようにしてもよい。これにより、洗浄液のより緻密な噴射制御を実現することができる。また、上記実施の形態では、分岐した一方の第１通路部２９のみの開度を制御する例を示したが、第２通路部３０側の開度をも制御できるようにしてもよい。
【００５４】
さらに、上記実施の形態では、噴射口２５の上下に２つの吐出口２６、２７を設けた例を示した。変形例においては、たとえば下側の吐出口２７のみを設けるようにしてもよい。そのように構成しても、洗浄液の軌跡を上方に変化させることができる。
【００５５】
また、上記実施の形態においては、ウォッシャノズル５として拡散式のものを例に挙げたが、たとえば２方向噴射式など、特定の方向に噴射する指向性のあるウォッシャノズルを採用することもできる。その場合には、洗浄液の噴射方向に合わせて吐出口による空気の吐出方向も適切に設定する。
【００５６】
なお、上記実施の形態は、噴射口から噴射される液体の軌跡を、吐出口から吐出される気体を当てて変更させる技術思想をウォッシャ装置にて具体化した例を示したが、噴射口から噴射される液体を目標着水点に導く用途であれば、応用することが可能である。
【図面の簡単な説明】
【００５７】
【図１】本発明の実施の形態に係るウォッシャ装置を含むウォッシャシステムを搭載した車両を表す概略図である。
【図２】ウォッシャシステムの各装置の配置構成を表す側断面図である。
【図３】ウォッシャ装置全体の具体的構成を表す図である。
【図４】ウォッシャノズルおよびその近傍の構成を表す部分拡大図である。
【図５】ウォッシャ装置による洗浄液の噴射制御の原理を表す図である。
【図６】ウォッシャ装置の使用状態の例を表す説明図である。
【図７】ウォッシャ装置により洗浄液の噴射制御の一例を表すフローチャートである。
【図８】変形例にかかるウォッシャ装置のウォッシャノズルの構成を表す図である。
【符号の説明】
【００５８】
１  車両、  ２  ウィンドガラス、  ３  ウォッシャ装置、  ４  ウォッシャタンク、  ５  ウォッシャノズル、  ６  ワイパ装置、  ７  エンジンフード、  ８  配管、  １１  ワイパアーム、  １５  ポンプ装置、  １６  送風機、  １７  配管、  １８  調整弁、  ２０  制御部、  ２５  噴射口、  ２６  吐出口、２７  吐出口、  ２９  第１通路部、  ３０  第２通路部、  ３１  弁体、  ３２  モータ、  ３３  ノズル本体、  ３５  噴射ノズル、  ３６  第１吐出部、  ３７  第２吐出部、  ２２６  吐出口、  ２２７  吐出口、  ２２９  第１通路部、  ２３０  第２通路部、  ２３１  ノズル、  Ｓ１  払拭領域、  Ｓ２  着水領域。
【図１】
2008273298.tif 000006
【図２】
2008273298.tif 000007
【図３】
2008273298.tif 000008
【図４】
2008273298.tif 000009
【図５】
2008273298.tif 000010
【図６】
2008273298.tif 000011
【図７】
2008273298.tif 000012
【図８】
2008273298.tif 000013